(57)【要約】【課題】蒸発効率の向上を図ることができると共に、温海水が蒸留水に混ざることを防止することができる膜フラッシュ型蒸留器および膜フラッシュ型蒸留装置を提供する。【解決手段】垂直に配置された中空糸膜中心部の空間に温海水を通過させて、中空糸膜外部に温海水を蒸発させ、蒸発により発生した水蒸気を凝縮壁に凝縮させて蒸留水を生成させる膜フラッシュ型蒸留器であって、所定の大きさの間隙部を設けて配置された複数の親水性、あるいは親水化処理された中空糸膜により構成された中空糸膜束と、中空糸膜束が所定の大きさの空隙部を介して収納されていると共に凝縮壁として作用する収納容器と、収納容器の下部に、収納容器の内面に沿って、中空糸膜束と離されて設けられた円周状の蒸留水受け溝と、蒸留水受け溝に連通された蒸留水排出口とが設けられている膜フラッシュ型蒸留器。前記膜フラッシュ型蒸留器が備えられている膜フラッシュ型蒸留装置。【選択図】  図１
2011218247.tif 000002
【特許請求の範囲】
【請求項１】
垂直に配置された中空糸膜中心部の空間に温海水を通過させて、中空糸膜外部に前記温海水を蒸発させ、蒸発により発生した水蒸気を凝縮壁に凝縮させて蒸留水を生成させる膜フラッシュ型蒸留器であって、
所定の大きさの間隙部を設けて配置された複数の親水性の、あるいは親水化処理された中空糸膜により構成された中空糸膜束と、
前記中空糸膜束が所定の大きさの空隙部を介して収納されていると共に、前記凝縮壁を備えた収納容器と、
前記収納容器の下部に、前記凝縮壁の内面に沿って、前記中空糸膜束と離されて設けられた蒸留水受け溝と、
前記蒸留水受け溝に連通された蒸留水排出口と
が設けられていることを特徴とする膜フラッシュ型蒸留器。
【請求項２】
前記収納容器の外壁面に沿って冷却水流路が設けられていることを特徴とする請求項１に記載の膜フラッシュ型蒸留器。
【請求項３】
請求項１または請求項２に記載の膜フラッシュ型蒸留器が備えられていることを特徴とする膜フラッシュ型蒸留装置。
【請求項４】
前記膜フラッシュ型蒸留器の前記温海水が供給される側の端部に設けられた水蒸気排気口と、
前記水蒸気排気口に連結された熱交換機と、
前記熱交換機に連結された排気手段と
が備えられていることを特徴とする請求項３に記載の膜フラッシュ型蒸留装置。
【発明の詳細な説明】
【技術分野】
【０００１】
本発明は、海水の淡水化のために用いられる膜フラッシュ型蒸留器および前記膜フラッシュ型蒸留器を備えた膜フラッシュ型蒸留装置に関する。
【背景技術】
【０００２】
海水を淡水化する方法の１つに、海水を蒸留して淡水を作り出すフラッシュ蒸留法がある。従来、フラッシュ蒸留法としては、所定温度に加熱された海水を、海水の飽和蒸気圧よりも低い圧力に保たれた空間にスプレーして蒸発（フラッシュ）させた後、水蒸気を凝縮させて淡水を作り出すスプレイフラッシュ式蒸留法がメインであったが、スプレー空間を設ける必要があるため装置が大型化する。このため、近年、装置の大型化を必要としない膜フラッシュ式蒸留法が注目されている。
【０００３】
この膜フラッシュ式蒸留法は、多孔質膜を用いて海水を蒸発させた後、水蒸気を凝縮させて淡水を作り出すものであり、従来、水蒸気のみを透過する疎水性の多孔質膜を用いて行われていた（例えば特許文献１）。
【０００４】
ここで、従来の膜フラッシュ式蒸留法につき、図２に基づいて説明する。なお、図２は従来の膜フラッシュ式蒸留法の概要を示す図である。
【０００５】
図２において、膜フラッシュ型蒸留器５０は以下の通り構成されている。
【０００６】
即ち、２は疎水性の中空糸膜であり、多数の中空糸膜２が相互に間隙部を設けて配置されて中空糸膜束３が構成されている。そして、４は中空糸膜束３の収納容器であり、空隙部５を介して中空糸膜束３が収納されている。
【０００７】
また、中空糸膜束３の上端には、加温された温海水Ｗ１を各中空糸膜２に供給する温海水供給部３１が設けられている。そして、下端には、各中空糸膜２を流下するに従い水温の下がった冷海水Ｗ３を回収する冷海水回収部３２が、空隙部５を介して設けられている。
【０００８】
さらに、収納容器４の外壁面に沿って冷却水流路５１が設けられており、収納容器４の下端には、生成した蒸留水Ｗ２を回収する蒸留水回収部５２および蒸留水排出口７が設けられている。そして、蒸留水排出口７の先には、蒸留水タンク５４が設けられている。
【０００９】
図２に示すように、原水タンク５３において加温された温海水Ｗ１は、温海水供給部３１に供給された後、各々の中空糸膜２の中心部の空間に供給され、中空糸膜２内を自然流下する。このとき温海水Ｗ１が蒸発し、発生した水蒸気は疎水性の中空糸膜２に設けられた細孔（孔径：０．１〜３μｍ）内を拡散して中空糸膜２の外側に出た後、収納容器４の内壁において冷却されて凝縮し、蒸留水Ｗ２が生成される。
【００１０】
生成した蒸留水Ｗ２は、収納容器４の壁面に沿って自然流下して、蒸留水回収部５２で回収された後、蒸留水排出口７を介して蒸留水タンク５４に貯えられる。また、中空糸膜から排出される温度が低下した冷海水Ｗ３は冷海水回収部３２に貯えられた後、そのまま冷却水として冷却水流路５１に送られ、冷却水流路５１内を通過中に、凝縮熱により温められた収納容器４と熱交換することにより温められた後、原水タンク５３に戻される。
【００１１】
蒸留水の生成の様子を示すために、従来の膜フラッシュ型蒸留装置の斜視図を図３に示す。図３において、ヒータ５５により加温された温海水Ｗ１は、原水タンク５３から膜フラッシュ型蒸留器５０に供給された後、中空糸膜を介して蒸発する。そして、蒸発した水蒸気は、収納容器に接して設けられた冷却水流路５１により冷却されて、蒸留水Ｗ２が生成され、図に示すように、冷海水回収部３２の外側を落下する。
【００１２】
従来の膜フラッシュ型蒸留装置においては、疎水性の中空糸膜を用い、その中心部の空間に温海水を通しており、温海水は自身の表面張力のために、この中心空間から出ることができず、膜を介して外気と接することになる。そして、十分に細い中空糸を使用することにより、外気と接する表面積を大きく確保することが可能となり、蒸発効率を上げることができる。
【先行技術文献】
【特許文献】
【００１３】
【特許文献１】特開平５−７１８８２号公報
【発明の概要】
【発明が解決しようとする課題】
【００１４】
しかしながら、このような従来の膜フラッシュ型蒸留装置は、未だ、十分な蒸発効率を有しているとは言えず、さらなる蒸発効率の向上が望まれていた。
【００１５】
また、中空糸膜のメンテナンスや交換を頻繁に行わないと、生成された蒸留水に海水が混ざるような事態が発生することもあった。
【００１６】
本発明は、上記従来技術の問題点に鑑み、蒸発効率の向上を図ることができると共に、温海水が蒸留水に混ざることを防止することができる膜フラッシュ型蒸留器および膜フラッシュ型蒸留装置を提供することを課題とする。
【課題を解決するための手段】
【００１７】
本発明者は、先ず、従来の膜フラッシュ型蒸留装置において、十分な蒸発効率を得ることができない原因につき、検討を行った。
【００１８】
その結果、外気と接する温海水の表面積は広ければ広いほどよいが、従来の膜フラッシュ型蒸留装置においては、最大でも、中空糸膜の中心空間の表面積であり、また、温海水の表面と外部との間には、前記した細孔を有する多孔質膜が存在するため、水蒸気はこの細孔の中を拡散により通過する外なく、中空糸膜の外側に通風手段を設けるなどして蒸発促進を図っても、十分な効果を得ることができず、蒸発効率を向上させることが難しいことが分かった。
【００１９】
一方、従来の膜フラッシュ型蒸留装置において、中空糸膜のメンテナンスや交換を頻繁に行わないと、生成された蒸留水に海水が混ざるような事態が発生する原因につき、検討を行った結果、長期間の使用やバイオフィルムの付着また界面活性剤のように疎水基と親水基の両方をもつような両親媒性の汚れによりファウリング（目詰まり）が発生することにより、中空糸膜の疎水性が失われ、このために、温海水が中空糸膜の外に漏れ出して蒸留水に混ざることが分かった。
【００２０】
本発明者は、これらの知見に基づき、上記課題の解決につき鋭意検討の結果、小さい装置体積で蒸発面積を大きく取ることができるという膜フラッシュ式蒸留法における利点を残しながら、中空糸膜から海水が漏れ出しても問題にする必要がない構造を採るという従来とは全く逆の発想により、蒸発効率の向上を図ることができることを見出し、本発明を完成するに至った。以下、本発明を各請求毎に説明する。
【００２１】
請求項１に記載の発明は、
垂直に配置された中空糸膜中心部の空間に温海水を通過させて、中空糸膜外部に前記温海水を蒸発させ、蒸発により発生した水蒸気を凝縮壁に凝縮させて蒸留水を生成させる膜フラッシュ型蒸留器であって、
所定の大きさの間隙部を設けて配置された複数の親水性の、あるいは親水化処理された中空糸膜により構成された中空糸膜束と、
前記中空糸膜束が所定の大きさの空隙部を介して収納されていると共に、前記凝縮壁を備えた収納容器と、
前記収納容器の下部に、前記凝縮壁の内面に沿って、前記中空糸膜束と離されて設けられた蒸留水受け溝と、
前記蒸留水受け溝に連通された蒸留水排出口と
が設けられていることを特徴とする膜フラッシュ型蒸留器である。
【００２２】
本請求項の発明においては、中空糸膜として、親水性の、あるいは親水化処理された中空糸膜を採用している。このため、中空糸膜中心部の空間を通過する温海水が中空糸膜の外側に滲み出て中空糸膜の外側の面を濡らし、中空糸膜の外側の面から温海水が蒸発する。
【００２３】
即ち、本請求項の発明においては、温海水は、従来のように中空糸膜の内部空間で外気と接するのではなく、中空糸膜の外部で外気と接しているため、外気と接する温海水の表面積を、従来に比べてはるかに大きく確保することができ、温海水の蒸発速度をより大きくすることができる。
【００２４】
この結果、従来よりも短い長さの中空糸膜で従来と同等の蒸発量を得ることができ、コストの低減を図ることができる。そして、短い長さの中空糸膜であるため、圧損が小さくなり設備の簡略化を図ることもできる。
【００２５】
また、中空糸膜の外部で外気と接している温海水は、前記した通風手段などにより蒸発促進を図ることができるため、より蒸発効率を向上させることができる。
【００２６】
さらに、親水性の、あるいは親水化処理された中空糸膜はファウリングの発生や汚れの発生などによる悪影響を受けにくいため、中空糸膜のメンテナンスや交換の頻度を大幅に低減することができる。
【００２７】
中空糸膜の外部に滲み出した温海水が蒸発しきれなかった場合、従来の膜フラッシュ型蒸留器では、この蒸発しきれなかった温海水は、そのまま蒸留水回収部に流下していくため、蒸留水と混ざる恐れがある。このため、本請求項の発明においては、凝縮壁の内面に沿って、生成した蒸留水を受けるための蒸留水受け溝を設けて蒸留水を回収すると共に、前記蒸留水受け溝を中空糸膜束と離して設けている。この結果、中空糸膜の外部に滲み出し、蒸発しきれなかった温海水があったとしても、蒸留水と混ざる恐れがない。
【００２８】
また、通常の蒸留法では、海水残渣が蒸発時に固体となりチャンバーや配管を汚すため、この固体残渣を取り除くことを目的として、前もって海水の濾過（前処理）を行うことがあるが、本請求項の発明によれば、蒸発時に濾過することもできるため、このような前処理を省略もしくは簡略化することができるというメリットもある。
【００２９】
親水性の、あるいは親水化処理された中空糸膜としては、ポリアクリロニトリル、ポリイミッド、ＰＥＳ、ポリフェニレンスルフィドスルフォンなどの多孔質膜を挙げることができるが、特に、耐熱性や機械的強度に優れ、また化学的にも安定なポリテトラフルオロエチレン（ＰＴＦＥ）製やポリフッ化ビニリデン（ＰＶＤＦ）製の多孔質体に親水化処理を施した中空糸膜が好ましく用いられる。なお、中空糸膜における孔径や気孔率は、使用状況に応じて適宜設定される。
【００３０】
なお、中空糸膜としては、疎水性の膜であっても、前記したように、ファウリングの発生などにより徐々に親水性を示すようになるため、用いることは可能であるが、親水性膜を用いる方が海水の滲み出しが均一となるため、蒸留水の生成に関して効果が高い。
【００３１】
収納容器としては、その内壁が凝縮壁としての役割も果たすことができるため熱伝導性の良好な金属製を用いることが好ましく、耐食性にも配慮した場合、ステンレス製やチタンコーティング製などを挙げることができる。
【００３２】
請求項２に記載の発明は、
前記収納容器の外壁面に沿って冷却水流路が設けられていることを特徴とする請求項１に記載の膜フラッシュ型蒸留器である。
【００３３】
本請求項の発明においては、収納容器の外壁面に沿って冷却水流路が設けられているため、収納容器の凝縮壁としての作用を一層高めることができる。このとき、冷却水として収納容器から排出される温海水を使用した場合、冷却水流路を経由することにより再び温められるため、これを温海水として再び用いることにより蒸留の熱効率を高めることができる。
【００３４】
中空糸膜内を通ってきた海水の温度は、流量を上げることにより制御することができる。このとき、海水の最低温度を４０℃以上に制御することにより、熱交換を行う表面に海水中の生物が付着・繁殖することを防ぐことができる。
【００３５】
請求項３に記載の発明は、
請求項１または請求項２に記載の膜フラッシュ型蒸留器が備えられていることを特徴とする膜フラッシュ型蒸留装置である。
【００３６】
蒸発効率の向上が図れると共に、中空糸膜のメンテナンスや交換頻度の低減を図ることができる膜フラッシュ型蒸留器が備えられているため、よりコンパクトで効率的な膜フラッシュ型蒸留装置を提供することができ、ランニングコストや設備コストの低減を図ることができる。
【００３７】
請求項４に記載の発明は、
前記膜フラッシュ型蒸留器の前記温海水が供給される側の端部に設けられた水蒸気排気口と、
前記水蒸気排気口に連結された熱交換機と、
前記熱交換機に連結された排気手段と
が備えられていることを特徴とする請求項３に記載の膜フラッシュ型蒸留装置である。
【００３８】
本請求項の発明においては、膜フラッシュ型蒸留器の温海水が供給される側の端部に、膜フラッシュ型蒸留器内で発生した水蒸気を排出する水蒸気排気口を設けている。これにより、膜フラッシュ型蒸留器内の上部で発生した温度の高い水蒸気が、膜フラッシュ型蒸留器下部にある温度の低い中空糸膜の外面に凝縮することを抑制できる。
【００３９】
そして、排気口から排出された水蒸気は、熱交換機により凝縮され、蒸留水として回収される。このため、排気口から水蒸気を排出しても、蒸発効率が下がることはない。
【００４０】
熱交換機により蒸留水が取り除かれた後の気体は、そのまま外部に排出してもよいが、乾燥した気体であるため、再び膜フラッシュ型蒸留器内に戻した場合、中空糸膜相互の間に設けた間隙に乾燥した気体の流れを形成させることができ、一層蒸発効率を向上させることができる。
【発明の効果】
【００４１】
本発明によれば、蒸発効率の向上を図ることができると共に、温海水が蒸留水に混ざることを防止することができる膜フラッシュ型蒸留器および膜フラッシュ型蒸留装置を提供することができる。
【図面の簡単な説明】
【００４２】
【図１】本発明の一実施の形態における膜フラッシュ式蒸留法の概要を示す図である。
【図２】従来の膜フラッシュ式蒸留法の概要を示す図である。
【図３】従来の膜フラッシュ型蒸留装置の主要部の概要を示す斜視図である。
【発明を実施するための形態】
【００４３】
以下、本発明を実施の形態に基づいて説明する。
【００４４】
図１に本実施の形態における膜フラッシュ式蒸留法の概要を示す。図１において、６は円周状の蒸留水受け溝であり、収納容器４の内面に沿って中空糸膜束３と一定間隔離された状態で、収納容器４の下部に設けられている。８は膜フラッシュ型蒸留器５０において蒸発した水蒸気を排出する水蒸気排気口であり、膜フラッシュ型蒸留器５０の温海水供給側の端部側面に設けられている。５７は熱交換機であり、連結管により水蒸気排気口８に連結されている。５８は真空ポンプであり、連結管により熱交換機５７に連結されている。これら以外の符号は、既に述べた図２の従来の膜フラッシュ型蒸留装置と同様の部材を示す。そして、中空糸膜２は親水性の多孔質膜により構成されている。
【００４５】
原水タンク５３において加温された温海水Ｗ１は、温海水供給部３１に供給された後、各々の中空糸膜２の中心部の空間に供給され、中空糸膜２内を自然流下する。このとき、中空糸膜２は、親水性の多孔質膜であるため、中空糸膜中心部の空間を通過する温海水が中空糸膜２の外側に滲み出て中空糸膜２の外側の面を濡らし、中空糸膜２の外側の面から温海水が蒸発する。
【００４６】
このため、本実施の形態における外気と接する温海水の表面積は、従来の疎水性の中空糸膜の場合における中空糸膜２内部の表面積と異なり、中空糸膜２外部の表面積となり、例えば、外径２．３ｍｍ、内径１．１ｍｍの中空糸膜ないし外径１．４ｍｍ、内径０．８ｍｍの中空糸膜を用いた場合、従来に比べ、１．５〜３倍の表面積が確保され、蒸発速度もこれに合わせて１．５〜３倍となり、収納容器４の内壁で凝縮する蒸留水Ｗ２の量も増加する。
【００４７】
一方、同じ量の蒸留水を得る場合、従来に比べ、中空糸膜の長さ（収納容器の長さ）は２／３〜１／３で十分であるため、膜フラッシュ型蒸留装置をコンパクト化して、コストの低減を図ることができる。そして、長さが短い中空糸膜の場合、圧損が小さくなるため、このための設備を簡略化することができる。
【００４８】
例えば、一般に膜蒸留では、外径１〜３ｍｍφ、内径０．５〜２ｍｍφで長さ１〜４ｍの中空糸膜が用いられるが、本実施の形態においては、長さを０．３〜２ｍにすることができる。
【００４９】
蒸発して収納容器４の内壁で凝縮した蒸留水Ｗ２は、収納容器４の内壁に沿って自然流下し、蒸留水受け溝６に受け止められる。この際、蒸留水受け溝６は、中空糸膜束３と一定間隔離れているため、蒸発しきれなかった温海水が、中空糸膜２の外面に沿って流下してきたとしても、蒸留水受け溝６に入ることなく冷海水回収部３２まで運ばれ、蒸留水と混ざる恐れがない。
【００５０】
蒸留水受け溝６に受け止められた蒸留水Ｗ２は、蒸留水排出口７から蒸留水タンク５４に送られ、貯えられる。
【００５１】
さらに、本実施の形態においては、膜フラッシュ型蒸留器５０の温海水供給側の端部側面に、蒸発した水蒸気を排出する水蒸気排気口８が設けられており、中空糸膜２上部で蒸発した高温の水蒸気を外部に排出している。このため、中空糸膜２上部で蒸発した高温の水蒸気が、流下するに従って水温が低下した下部の中空糸膜外面で凝縮する恐れを小さくすることができる。即ち、中空糸膜外面で凝縮した蒸留水Ｗ２は、蒸留水受け溝６に受け止められず、冷海水回収部３２まで運ばれると、生成した蒸留水の一部が回収されないことになるが、このような無駄を抑制することができる。
【００５２】
そして、水蒸気排気口８から排出された水蒸気は、熱交換機５７により蒸留水として回収された後、蒸留水タンク５４に送られ、貯えられる。
【００５３】
以上のように、本実施の形態においては、親水性の中空糸膜を用いることにより、疎水性の中空糸膜を用いた従来の膜フラッシュ型蒸留装置に比べ、大きな蒸発速度を確保することができると共に、膜フラッシュ型蒸留器において生成された蒸留水の回収方法に上記のような工夫を凝らすことにより、温海水が蒸留水に混ざることなく、生成された蒸留水を効率よく回収することができる。このため、同じ長さの中空糸膜を用いた膜フラッシュ型蒸留装置の場合、従来に比べ、多くの蒸留水の量を得ることができる。一方、同じ量の蒸留水を得る場合、従来に比べ、中空糸膜の長さ（収納容器の長さ）が短くてすむため、膜フラッシュ型蒸留装置をコンパクト化して、コストの低減を図ることができる。そして、長さが短い中空糸膜の場合、圧損が小さくなるため、このための設備を簡略化することができる。
【００５４】
そして、本実施の形態における中空糸膜は親水性であるため、疎水性の中空糸膜を用いる従来の膜フラッシュ型蒸留装置のように、ファウリングの発生や汚れの発生などによる悪影響を受けることが少ないため、中空糸膜のメンテナンスや交換の頻度を大幅に低減することができ、運転コストが低減される。
【００５５】
以上、本発明の実施の形態を示したが、本発明は、上記の実施の形態に限定されるものではない。本発明と同一および均等の範囲内において、種々の変更を加えることが可能である。
【符号の説明】
【００５６】
２            中空糸膜                        ５１          冷却水流路
３            中空糸膜束                      ５２          蒸留水回収部
４            収納容器                        ５３          原水タンク
５            空隙部                          ５４          蒸留水タンク
６            蒸留水受け溝                    ５５          ヒータ
７            蒸留水排出口                    ５７          熱交換機
８            水蒸気排気口                    ５８          真空ポンプ
３１          温海水供給部                    Ｗ１          温海水
３２          冷海水回収部                    Ｗ２          蒸留水
５０          膜フラッシュ型蒸留器            Ｗ３          冷海水
【図１】
2011218247.tif 000003
【図２】
2011218247.tif 000004
【図３】
2011218247.tif 000005